(57)【要約】【課題】広域ネットワークを介して送受信可能な電子紙面情報に対し、即時性を必要とする広告を適切なユーザを対象として迅速に掲載する。【解決手段】広域ネットワークを介して送受信される画像情報に広告を付加する広告システムについて、広告の紙面情報及びその広告の紙面情報の受け取り対象を制約するための受取対象制約事項を含む広告の掲載情報を受取り蓄積する広告情報サーバ（５）と、ユーザの登録情報を受取り蓄積するユーザ情報サーバ（６）と、ユーザが指定する所定の画像情報に対し、そのユーザ登録情報が適合する受取対象制約事項を有する広告の紙面情報を選択して付加する広告管理サーバ（７）とを有する構成とする。【選択図】    図１
2005017942.tif 000002
【特許請求の範囲】
【請求項１】
広域ネットワークを介して送受信される画像情報に広告を付加する広告システムであって、
広告の紙面情報及びその広告の紙面情報の受け取り対象を制約するための受取対象制約事項を含む広告の掲載情報を受取り蓄積する広告情報サーバと、
ユーザの登録情報を受取り蓄積するユーザ情報サーバと、
ユーザが指定する所定の画像情報に対し、そのユーザ登録情報が適合する受取対象制約事項を有する前記広告の紙面情報を選択して付加する広告管理サーバとを有することを特徴とする広告システム。
【請求項２】
電子紙面情報を受取り蓄積する電子紙面情報サーバを更に有し、前記所定の画像情報は、前記電子紙面情報サーバに蓄積された電子紙面情報であることを特徴とする請求項１に記載の広告システム。
【請求項３】
前記ユーザ登録情報には、前記画像情報の受取人の指定が含まれ、前記広告管理サーバは、前記指定された受取人のユーザ登録情報が適合する受取対象制約事項を有する前記広告の紙面情報を選択して前記画像情報に対して付加することを特徴とする請求項１に記載の広告システム。
【請求項４】
前記ユーザ情報サーバは、前記ユーザが指定する所定の画像情報の種類を前記ユーザ登録情報に適宜追加することを特徴とする請求項１に記載の広告システム。
【請求項５】
前記受取対象制約事項は、地域を限定するものであることを特徴とする請求項１若しくは請求項２に記載の広告システム。
【請求項６】
前記ユーザ登録情報は、ユーザの住所を含み、前記広告管理サーバは、前記ユーザの住所が適合する前記受取対象制約事項を有する前記広告の紙面情報を選択して前記画像情報に付加することを特徴とする請求項５に記載の広告システム。
【請求項７】
前記画像情報及びそれに付加された前記広告の紙面情報を紙に印刷して製本を行うために複数の異なる場所に設置された複数の印刷・製本手段を更に有し、前記ユーザ登録情報は、前記印刷・製本手段の指定を含み、前記広告管理サーバは、前記指定された印刷・製本手段の設置場所が適合する前記受取対象制約事項を有する前記広告の紙面情報を選択して前記電子紙面情報に付加することを特徴とする請求項５に記載の広告システム。
【請求項８】
前記ユーザ登録情報は、ユーザが受取りを許可する広告の種類の指定を含むことを特徴とする請求項１から請求項７の何れかに記載の広告システム。
【請求項９】
前記広告の掲載情報は、掲載料金の上限値を含み、前記広告管理サーバは、前記広告の各々について掲載料金を累積的に課金する課金手段を備え、その課金手段により課金された掲載料金の累積課金額が前記上限値を超えた広告の紙面情報については、前記選択の対象から除外することを特徴とする請求項１から請求項８の何れかに記載の広告システム。
【請求項１０】
前記広告の掲載情報は、前記電子紙面情報に付加される前記広告の紙面情報の選択の優先度を含むことを特徴とする請求項１から請求項９の何れかに記載の広告システム。
【請求項１１】
前記広告の紙面情報は、ユーザ向けのサービス券の画像を含むことを特徴とする請求項１から請求項９の何れかに記載の広告システム。
【発明の詳細な説明】
【０００１】
【発明の属する技術分野】
本発明は、広域ネットワークを介して送受信される画像情報に広告を付加する広告システムに関する。
【０００２】
【従来の技術】
近年、広域ネットワークを介して電子紙面情報（有料コンテンツを含む）を受信して、最寄りの書店やコンビニエンスストアなどでその電子紙面情報の印刷及び製本を行うことを目的とするシステムが開発されている。このようなシステムは、ユーザが、文書、写真、及びイラスト等を含む必要な情報を、比較的短時間に必要な部数だけ所望のレイアウトで入手できる等の利便性を有するものである。その一方で、一般に流通する書籍などに比べて情報の単価が高くなる傾向にあり、その対策の一つとしてユーザが必要とする電子紙面情報に広告を付加するなどの対応がとられている。そのような広告システムとして、例えば、ユーザが希望する広告を選択可能とするユーザインタフェースを備えたシステムが知られている（例えば、特許文献１参照。）。このシステムによれば、ユーザは必要な電子紙面情報に加えて所望の広告を入手することができる。
【０００３】
【特許文献１】
特開２０００−１５９５４号公報
【０００４】
【発明が解決しようとする課題】
しかし、上記のような従来の広告システムでは、比較的短期のサイクルで内容の変更を必要とする広告（例えば、通常は新聞折込などに見られる小売店の特売情報等の地域密着型の情報を含む）に対しては、十分適応できるものではなかった。近年の情報化社会の発達により、そのような即時性を必要とする情報を扱うニーズは益々高くなりつつあり、広告主及び広告を受け取るユーザの両者を満足させるより効率の高いシステムが望まれる。
【０００５】
そこで、本発明は、このような従来技術の問題点を解消するべく案出されたものであり、広域ネットワークを介して送受信可能な電子紙面情報を自動で製本して所定のユーザに販売する際に、比較的短期のサイクルで内容の変更を必要とする広告を適切なユーザを対象として迅速に掲載することで、広告効率を大幅に向上させることが可能な広告システムを提供することを目的とする。
【０００６】
【課題を解決するための手段】
本発明は、上述の目的を達成するため、本発明の第１の実施の態様に係る広告システムは、広域ネットワークを介して送受信される画像情報に広告を付加する広告システムであって、広告の紙面情報及びその広告の紙面情報の受け取り対象を制約するための受取対象制約事項を含む広告の掲載情報を受取り蓄積する広告情報サーバと、ユーザの登録情報を受取り蓄積するユーザ情報サーバと、ユーザが指定する所定の画像情報に対し、そのユーザ登録情報が適合する受取対象制約事項を有する前記広告の紙面情報を選択して付加する広告管理サーバとを有する構成とする。
【０００７】
これによると、ユーザが印刷や送信等を行なうために指定する所定の画像情報に対して所定の広告を掲載する際に、広告主が希望する適切なユーザ（広告対象）を容易かつ確実に選択して広告の効率を高めることができる。特に、比較的短期のサイクルで内容の変更を必要とする広告であっても適切なユーザを対象として迅速に掲載することができる。
【０００８】
本発明の第２の実施の態様に係る広告システムは、上記第１の実施の態様に係る構成において、電子紙面情報を受取り蓄積する電子紙面情報サーバを更に有し、所定の画像情報は、電子紙面情報サーバに蓄積された電子紙面情報である構成とすることができる。これによると、ユーザは、印刷や送信等を行なうために指定する画像情報としてより広範な種々のコンテンツを利用することができる。
【０００９】
本発明の第３の実施の態様に係る広告システムは、上記第１の実施の態様に係る構成において、ユーザ登録情報には、画像情報の受取人の指定が含まれ、広告管理サーバは、指定された受取人のユーザ登録情報が適合する受取対象制約事項を有する広告の紙面情報を選択して画像情報に対して付加する構成とすることができる。これによると、画像情報の受取人のユーザ登録情報に基づき、広告主が希望する適切なユーザを容易かつ確実に選択して広告の効率を高めることができる。
【００１０】
本発明の第４の実施の態様に係る広告システムは、上記第１の実施の態様に係る構成において、ユーザ情報サーバは、ユーザが指定する所定の画像情報の種類をユーザ登録情報に適宜追加する構成とすることができる。これによると、ユーザが過去に指定した画像情報の種類に基づき、広告主が希望する適切なユーザを容易かつ確実に選択して広告の効率を高めることができる。この場合、画像情報の種類には、例えば、書籍関連情報、カタログ関連情報、新聞関連情報等の別や、更にその主要な内容を特定する情報の別も含まれる。
【００１１】
本発明の第５の実施の態様に係る広告システムは、上記第１若しくは第２の実施の態様に係る構成において、受取対象制約事項は、地域を限定するものである構成とすることができる。これによると、限定された地域により密着した広告を行うことができ、広告の効率をより高めることができる。
【００１２】
本発明の第６の実施の態様に係る広告システムは、上記第５の実施の態様に係る構成において、ユーザ登録情報は、ユーザの住所を含み、広告管理サーバは、ユーザの住所が適合する受取対象制約事項を有する広告の紙面情報を選択して画像情報に付加する構成とすることができる。これによると、ユーザの居住地域により密着した広告を行うことができ、広告の効率をより高めることができる。
【００１３】
本発明の第７の実施の態様に係る広告システムは、上記第５の実施の態様に係る構成において、複数の印刷・製本手段は、複数の異なる場所に設置され、ユーザ登録情報は、印刷・製本手段の指定を含み、広告管理サーバは、指定された印刷・製本手段の設置場所が適合する受取対象制約事項を有する広告の紙面情報を選択して電子紙面情報に付加する構成とすることができる。これによると、ユーザが利用する印刷・製本手段の設置場所により密着した広告を行うことができ、広告の効率をより高めることができる。ここで、印刷・製本手段は、書店やコンビニエンスストアなどのいわゆる地域密着型の店舗に設置することができる。
【００１４】
本発明の第８の実施の態様に係る広告システムは、上記第１から第７の実施の態様に係る構成において、ユーザ登録情報は、ユーザが受取りを許可する広告の種類の指定を含む構成とすることができる。これによると、ユーザは希望する種類の広告のみを受け取ることができるので、広告の効率をより高めることができる。
【００１５】
本発明の第９の実施の態様に係る広告システムは、上記第１から第８の実施の態様に係る構成において、広告の掲載情報は、掲載料金の上限値を含み、広告管理サーバは、広告の各々について掲載料金を累積的に課金する課金手段を備え、その課金手段により課金された掲載料金の累積課金額が上限値を超えた広告の紙面情報については、選択の対象から除外する構成とすることができる。これにより、広告主は、広告の掲載料金の上限値を予め設定することができるので、所望の金額の範囲内でシステムを利用することが可能となる。
【００１６】
この場合、広告主は、広告の掲載情報について、掲載料金の上限値に加えて掲載期間を設定することもできる。このとき、設定された掲載期間中に掲載料金の累積課金額が掲載料金の上限置を超えた場合には広告の掲載が停止され、一方で、掲載期間中に掲載料金の上限置を超えない場合には掲載期間の末日まで広告が掲載されることになる。従って、広告主は、掲載料金を気にすることなく自由に掲載期間を設定することができる。
【００１７】
本発明の第１０の実施の態様に係る広告システムは、上記第１から第９の実施の態様に係る構成において、広告の掲載情報は、電子紙面情報に付加される広告の紙面情報の選択の優先度を含む構成とすることができる。これにより、より迅速に掲載したい広告は、優先度を高く設定することで優先的な取り扱いを受けることができ、広告の効率をより高めることができる。
【００１８】
本発明の第１１の実施の態様に係る広告システムは、上記第１から第９の実施の態様に係る構成において、広告の紙面情報は、ユーザ向けのサービス券の画像を含む構成とすることができる。これにより、ユーザは、広告システムの利用料金を広告主からのサービスの一部と相殺することができ、より安価にシステムを利用できる。ここで、ユーザは、サービス券を利用することによって、例えば、商品や飲食代等の割引や無償提供を受けることができる。
【００１９】
【発明の実施の形態】
図１は、本発明による広告システムの構成を示すブロック図である。この広告システム１は、各種コンテンツサービス２やＷＷＷ（ｗｏｒｌｄ  ｗｉｄｅ  ｗｅｂ）情報サービス３から文書、写真、及びイラスト等を含む種々の情報を電子紙面情報（画像情報）として受取り、それを記憶する電子紙面情報サーバ４と、広告の紙面情報及びその広告の紙面情報の受け取り対象を制約するための受取対象制約事項を含む広告の掲載情報を受取り、それを記憶する広告情報サーバ５と、広告システム１を利用するユーザのユーザ登録情報を受取り、それを記憶するユーザ情報サーバ６と、それら電子紙面情報サーバ４、広告情報サーバ５、及びユーザ情報サーバ６に接続されそれらを統括的に管理する一方で、ユーザが指定する所定の電子紙面情報についての印刷・製本指令を発するとともに、そのユーザのユーザ登録情報が適合する受取対象制約事項を有する広告の紙面情報を選択して電子紙面情報に付加する広告管理サーバ７と、その広告管理サーバ７による印刷・製本指令を受取ることにより、電子紙面情報及びそれに付加された広告の紙面情報を紙に印刷して製本を行う複数の製本機能付き印刷出力機（印刷・製本手段）８とを有する。
【００２０】
尚、ユーザ情報サーバは、ユーザが指定する所定の電子紙面情報の種類をユーザ登録情報に適宜追加することができる。また、広告管理サーバは、に備えられ、広告の各々について掲載料金を累積的に課金する課金手段（図示せず）を備える。
【００２１】
ここで、広告の掲載を希望とする広告主は、広告主端末９を利用して所定の広告登録情報及び広告の紙面情報を広告情報サーバ５に対して送信することができる。また、電子紙面情報の購入並びにそれらの印刷及び製本を希望するユーザは、ユーザ端末（例えば、会社や自宅のパーソナルコンピュータ）１０若しくは最寄りの書店やコンビニエンスストア等に印刷・製本手段８とともに設置された店頭端末１１を利用して自らのユーザ登録情報をユーザ情報サーバ６に対して送信することができる。尚、ユーザは、必ずしも電子書面情報を購入する必要はなく、自ら準備した種々の画像情報の印刷及び製本を行うこともできる。また、ユーザ登録情報には、ユーザが受取りを許可する広告の種類の指定が含まれ、ユーザは、広告の掲載（即ち、ユーザが指定した電子紙面情報への広告紙面情報の付加）の可否並びに掲載される広告の種類を自由に選択することができる。尚、この広告システムを利用するユーザのユーザ登録情報は、氏名、生年月日／年齢、住所、及び性別等のユーザを特定するための情報のみならず、後述するような本システムを利用するにあたり登録する種々の情報を含み得るものである。
【００２２】
図２及び図３は、図１に示した広告情報サーバにおける広告主による広告の掲載情報の登録画面の一例を示す図である。広告主が、広告主端末９を利用して初めて広告情報サーバ５にアクセスする場合には、広告の掲載情報についての登録が必要となる。図２に示すように、広告の掲載情報には、広告主関連事項（広告主登録事項）が含まれ、広告主は、登録画面の初期登録フィールド２０に設定された各項目（氏名、会社名、部署、役職、郵便番号、都道府県、市区町村、ビル・マンション名、電話番号、ＦＡＸ番号、電子メールアドレスなど）に従って入力を行うことができる。また、広告主関連事項には、広告主の認証に用いられる情報が含まれ、広告主は、パスワード登録フィールド２１に設定された各項目（希望の広告ユーザＩＤ、パスワード）に従って入力を行うことができる。全ての入力が完了したら、登録ボタン２２を押して広告主の登録は完了する。これにより、次回の広告情報サーバ６へのアクセスの際には、登録された広告主ＩＤ（広告主のユーザＩＤ）及びパスワードにより認証が行われる。尚、初期登録フィールド２０に設定された各項目については、上記のものに限定されるものではなく、広告主に関する種々の情報を設定することが可能である。
【００２３】
図３に示すように、広告の掲載情報には、広告掲載条件が更に含まれ、広告主は、掲載優先度指定フィールド３０において、広告の紙面情報の掲載についての優先度を設定することができる。この場合、優先度はＡ、Ｂ、Ｃの順に３段階に設定されており、優先度が高いほど掲載料金が高く設定されている。この優先度に従って、広告管理サーバ７は、ユーザが指定した電子紙面情報に付加する広告紙面情報を選択する。
【００２４】
また、掲載費用指定フィールド３１において、広告主は、広告掲載料の費用枠（掲載料金の上限値）を設定することができる。ここで、広告が掲載されると、各広告主に対して所定の広告掲載料がその都度課金されることになるが、その合計金額（累積課金額）がここで設定された費用枠内（ここでは、￥７０，０００円の範囲内）であるかぎり、広告の掲載は継続される。尚、費用枠内を超えた場合は、他の掲載条件の如何に関わらず掲載は停止される（即ち、広告管理サーバ７が選択する広告の紙面情報の対象から除外される）。
【００２５】
また、掲載期間指定フィールド３２において、広告主は、広告の紙面情報の掲載期間を設定することができる。ここでは、平成１４年１０月１から平成１４年１２月３１日の間で、広告の紙面情報が掲載されることになる。
【００２６】
また、掲載先絞込み指定フィールド３３において、広告主は、広告の紙面情報の掲載先（受取り対象）についての各項目（性別、年齢、エリア、及び対象品目）を設定することができる。ここで、「エリア」は、広告を受けるユーザの住所若しくは印刷・製本が行われる場所（製本機能付き印刷出力機の設置場所）等に関するものであり、都道府県、市町村、番地の選択により、広狭をつけることが可能であり、特に掲載先の絞り込みを必要としない場合には全ての領域を指定（図中「ＡＬＬ」をチェック）することもできる。また、広告の対象品目は、大分類、中分類、小分類、及び詳細（複数可）について設定することができ、例えば、四川料理の飲食店の広告主が設定する場合には、大分類を「飲食店」、中分類を「中華」、小分類を「四川料理」等と設定することが可能である。以上のような設定が終了したら、広告主は、確認ボタン３４を押して設定項目を確認することができ、設定項目に誤りや追加事項がなければ、登録ボタン３５を押して広告掲載条件の登録が完了する。尚、図３では、１つのエリアのみを登録する場合を示してあるが、必要に応じて複数のエリアを登録することもできる。
【００２７】
図４は、図１に示した広告情報サーバにおける広告主による広告の紙面情報の登録画面の一例を示す図である。図に示すように、広告の紙面情報には、広告のレイアウト及び内容等についての情報が含まれ、広告主は、掲載形態指定フィールド４０の各項目（掲載サイズ、掲載面、掲載色）の登録を行うことができる。このような広告の掲載形態は、ユーザが購入する電子紙面情報の種類によって制限を受けるので、ここでの広告主の設定は、必ずしも実際の広告の掲載時に全て反映されるものではない。所望により、広告の掲載形態の指定が広告情報サーバ５によって自動的に行われるように選択することも可能である。
【００２８】
また、広告内容指定フィールド４１において、広告主は、各項目（テンプレート選択、写真／イラスト枚数指定、挿入する写真のファイル名、タイトルバー文字、広告本文１、及び広告本文２）の登録を行うことができる。ここで、テンプレートは、予め準備された複数のテンプレートから選択することができる。また、写真、イラスト、地図等を広告に挿入したい場合には、広告主が予め準備した汎用のファイル形式（例えば、ＪＰＥＧ、ＧＩＦ等）で作成された画像を用いることができる。以上のような設定が終了したら、広告主は、確認ボタン４３を押して設定項目を確認することができ、その際、広告レイアウトプレビューフィールド４２に、広告のレイアウト（ここでは、Ａ４サイズ原稿の右上１／１２カット）、並びに上記広告内容指定フィールド４１で設定された内容に従って作成された広告紙面が表示される。広告主は、広告レイアウトプレビューフィールド４２に表示された内容に誤りや追加事項がなければ、登録ボタン４４を押して広告紙面原稿の登録が完了する。尚、図４には示さないが、所望により、飲食及び商品等のサービス券（景品券、配給券、及び割引券など）を広告に添付することもできる。
【００２９】
図５は、図４に示した広告の紙面情報に基づき、ユーザが購入した電子紙面情報の印刷された紙面に掲載された広告の一例を示す図である。ここでは、ユーザが電子紙面情報として地図の情報を購入した場合を示しており、中央部の地図の画像５０に対して、紙面右上に広告紙面５１が掲載されている。尚、ここでは、１件の広告のみが掲載されている場合を示しているが、他の広告スペース５２、５３、５４にも同様の広告が掲載され得る。
【００３０】
図６から図１２は、図１に示した広告システムをユーザ端末より利用する場合の利用画面の構成の一例を示す図である。ユーザが、ユーザ端末１０から広告システム１を利用する場合、会員ユーザは認証が必要であり、非会員ユーザは会員登録が必要となる。図６は、ユーザがユーザ端末から広告システム１を利用する際にメインメニュー画面に表示されるサービス受付画面を示す。ここで、既に会員登録されているユーザは、会員認証フィールド６０において、会員番号（ユーザＩＤ）及びパスワードを入力する。一方、非会員ユーザは、会員登録フィールド６１において、所定事項（氏名、生年月日／年齢、住所、性別、クレジットカード番号、アンケート）の入力を行う。尚、クレジットカード番号については、ユーザの身分証明が可能であれば他の情報で代替可能である。また、アンケートには、ユーザの趣味・趣向に関するものが含まれ、広告管理サーバ７が、当該ユーザ向けに広告の紙面情報を選択する際に利用される。
【００３１】
図７は、ユーザがユーザ端末からネットワークを介するプリントサービスを利用する際に表示されるサービス選択画面を示す。ユーザは、ユーザ端末を利用して広告システム１にアクセスすることで、ネットワークを介するプリントサービス（ユーザが自ら画像情報を準備して印刷・製本を行うサービス）を利用することができる。データ登録フィールド７０において、ユーザは、会員番号及びパスワードの入力後、プリント対象となるデータの登録、及び印刷条件の設定を行うことができる。このデータ登録は、ウェブ上若しくはメールに画像情報を添付することで実行可能である。また、印刷条件には、カラー／モノクロの別、用紙サイズ、及び印刷部数を登録可能であり、更に印刷特殊詳細設定として、両面印刷、２ｉｎ１設定、拡大縮小設定、印刷濃淡設定等を登録することができる。一方、登録したデータの変更若しくは削除が必要となった場合には、ユーザは、登録データ変更及び削除フィールド７１において、会員番号及びパスワードの入力後、既に登録されているデータの中から変更若しくは削除を行うデータを選択し、削除若しくは変更を実行することができる。
【００３２】
また、データ出力フィールド７２において、データ登録フィールド７０で行う印刷条件と同様の設定を行うことができる。この場合、ユーザは、パスワードを入力した後、既に登録済のデータを選択して印刷条件の個別設定を行うことができる。ここで、既に登録済のデータの選択は、登録済のデータを検索するか、或いは事前のデータ登録の際に発行される登録番号を入力することで可能となる。登録されたデータに関しては、印刷条件個別設定として、カラー／モノクロの別、用紙サイズ、及び印刷部数を登録可能であり、更に印刷特殊詳細設定として、両面印刷、２ｉｎ１設定、拡大縮小設定、印刷濃淡設定等を登録することができる。
【００３３】
図８は、ユーザがユーザ端末からコンテンツ販売サービスを利用する際に表示されるサービス選択画面を示す。ユーザは、ユーザ端末を利用して広告システム１にアクセスすることで、コンテンツ（電子紙面情報）販売サービスを利用することができる。コンテンツ選択フィールド８０において、ユーザは、種々のコンテンツから購入を希望するコンテンツを選択することができる。選択可能なコンテンツには、例えば、書籍／雑誌、新聞、地図情報、タウン情報、各種カタログ／マニュアル、ツアー／宿泊／交通情報等が含まれる。
【００３４】
また、出力設定フィールド８１において、ユーザは、印刷条件の自動若しくは指定（マニュアル設定）の別を選択可能であり、指定を選択した場合には、コンテンツに対して、カラー／モノクロの別、用紙サイズ、及び印刷部数を登録可能であり、更に印刷特殊詳細設定として、両面印刷、２ｉｎ１設定、拡大縮小設定、印刷濃淡設定等を登録することができる。後述するように、ユーザは、更に製本処理条件及び広告掲載条件の設定が可能である。
【００３５】
また、ユーザヘルプフィールド８２において、ユーザは、サービス内容を検索するためのキーワード検索や、簡単操作の情報を検索することができる。
【００３６】
図９は、ユーザが図７に示したネットワークを介するプリントサービス及び図８に示したコンテンツ販売サービスを利用する際に表示される印刷処理設定画面を示す。製本処理指定フィールド９０において、ユーザは、製本条件の自動若しくは指定（マニュアル設定）の別を選択可能であり、指定を選択した場合には、更に製本詳細条件の自動若しくは指定の別を選択可能であり、指定を選択した場合には、製本方法及び製本カバー使用の諸条件の設定が可能である。ここで、製本方法の条件としては、例えば、自動（製本の種類を自動で選択させる）、くるみ製本、テープ製本、中綴じ製本、ステープル綴じ製本（１ヶ所綴じ又は２ヶ所綴じ）等が含まれる。また、製本カバー使用の条件としては、自動（製本カバーの有無を自動で選択させる）、表紙の有無、裏表紙の有無等が含まれる。尚、ユーザが製本を必要としない場合には、製本処理を省略することも可能である。
【００３７】
図１０は、ユーザが図７に示したネットワークを介するプリントサービス及び図８に示したコンテンツ販売サービスを利用する際に表示される印刷処理設定画面を示す。広告掲載指定フィールド１００において、ユーザは、掲載を希望する広告について、デフォルト設定（登録済広告の掲載条件通り）、自動掲載、又は掲載拒否（掲載しない）を選択することが可能である。更に、詳細な条件を指定したい場合には、ユーザは、個別条件指定フィールド１０１において、広告内容の詳細条件の自動若しくは指定の別を選択可能であり、指定を選択した場合には、更に、エリア指定（都道府県、市町村、及び製本機能付き印刷出力器が設置される店舗周辺の指定、又は指定なし）、広告品目指定（大分類、中分類、及び小分類の指定、又は指定なし）、及びその他の指定（広告情報のみの掲載、クーポンのみの掲載、及びクーポンの種類の選択、又は指定なし）を行うことができる。尚、ユーザは、広告掲載内容登録設定フィールド１００において、好みの広告掲載条件を記録しておくことが可能である。
【００３８】
図１１は、ユーザが図７に示したネットワークを介するプリントサービス及び図８に示したコンテンツ販売サービスを利用する際に表示される受取り方法指定画面を示す。ユーザは、受取り方法として配送（郵送等を含む）又は店頭引き取りを選択可能であり、配送を希望する場合には、配送フィールド１１０において、会員登録時に入力した住所若しくは会員登録時と異なる住所を配送先として指定することができる。会員登録時と異なる住所を指定する場合には、住所、氏名、年齢、電話番号、電子メールアドレス等を入力する。一方、受取り方法として店頭引き取りを希望する場合には、ユーザは、店頭引き取りフィールド１１１において、引き取り場所の指定を行うことができる。引き取り場所を指定する際には、引き取り店舗、引き取り希望日・時間を設定することができる。また、引き取り場所を指定しない場合には、全国の任意の店舗で引き取り可能である。
【００３９】
図１２は、ユーザがユーザ端末からネットワークを介するプリントサービス及びコンテンツ販売サービスを利用する際に表示される支払い方法指定画面を示す。ユーザは、支払い方法指定フィールド１２０において、クレジット決済、振込み、店頭での現金支払いの別を選択することができる。
【００４０】
図１３から図１５は、図１に示した広告システムを店頭端末より利用する場合の利用画面の構成の一例を示す図である。ユーザが、店頭端末１１を利用してユーザ情報サーバ６にアクセスする場合、会員ユーザは認証が必要であり、非会員ユーザはスポットユーザ登録（即ち、一時的な本人確認登録）が必要となる。図１３は、ユーザが店頭端末から広告システム１を利用する際にメインメニュー画面に表示されるサービス受付画面を示す。ここで、既に会員登録されているユーザは、会員認証フィールド１３０において、会員番号（ユーザＩＤ）及びパスワードを入力する。一方、非会員ユーザは、スポットユーザ登録フィールド１３１において、氏名、生年月日／年齢、住所の入力を行ってスポットユーザ登録を行う。
【００４１】
図１４は、ユーザが店頭端末からネットワークを介するプリントサービスを利用する際に表示されるサービス選択画面を示す。ユーザは、店頭端末を利用して広告システム１にアクセスすることで、ネットワークを介するプリントサービスを利用することができる。データ登録フィールド１４０において、ユーザは、会員番号及びパスワードを入力した後、既に登録済のデータを選択して印刷条件の個別設定を行うことができる。ここで、登録済のデータの選択は、登録済のデータを検索するか、或いは事前のデータ登録の際に発行される登録番号を入力することで可能となる。登録されたデータに関しては、印刷条件個別設定として、カラー／モノクロの別、用紙サイズ、及び印刷部数を登録可能であり、更に印刷特殊詳細設定として、両面印刷、２ｉｎ１設定、拡大縮小設定、印刷濃淡設定等を登録することができる。
【００４２】
図１５は、ユーザが店頭端末から既に購入済のコンテンツの受取りを行う際に表示されるサービス選択画面を示す。購入済コンテンツ検索フィールド１５０において、ユーザは、パスワードを入力した後、既に購入済のコンテンツの中から受取りを行うコンテンツを選択することができる。コンテンツの選択は、既に購入済のコンテンツの一覧から選択（インターネット登録済み購入商品検索）するか、コンテンツ購入時に発行された商品番号の入力（インターネット登録済み購入品ナンバー入力）により行うことができる。ここで、事前に登録した製本処理や広告掲載に関する出力設定、受取り方法の指定、支払い方法の指定について変更がある場合には、ユーザは、事前登録済み各種条件の変更フィールド１５０において変更することが可能である。
【００４３】
尚、店頭端末において、ユーザがコンテンツ販売サービスを利用する場合、及びユーザがネットワークを介するプリントサービス及びコンテンツ販売サービスを利用する際の製本処理及び広告掲載について指定する場合については、図９及び図１０に示したユーザ端末からの利用とそれぞれ同様である。更に、ユーザが購入したコンテンツの受取り方法を指定する場合、及び支払方法を指定する場合については、図１１及び図１２に示したユーザ端末からの利用とそれぞれ同様である。
【００４４】
【発明の効果】
このように発明によれば、広域ネットワークを介して送受信可能な電子紙面情報を自動で製本して所定のユーザに販売する際に、比較的短期のサイクルで内容の変更を必要とする広告を適切なユーザを対象として迅速に掲載することで、広告効率を大幅に向上させることが可能となる。
【図面の簡単な説明】
【図１】本発明による広告システムの構成を示すブロック図
【図２】図１の広告情報サーバにおける広告登録情報の登録画面の一例を示す図
【図３】図１の広告情報サーバにおける広告の掲載情報の登録画面の一例を示す図
【図４】図１の広告情報サーバにおける広告の紙面情報の登録画面の一例を示す図
【図５】図４の広告の紙面情報に基づき、ユーザが購入した電子紙面情報の印刷された紙面に掲載された広告の一例を示す図
【図６】図１に示した広告システムをユーザ端末より利用する場合の利用画面の構成の一例を示す図
【図７】図１に示した広告システムをユーザ端末より利用する場合の利用画面の構成の一例を示す図
【図８】図１に示した広告システムをユーザ端末より利用する場合の利用画面の構成の一例を示す図
【図９】図１に示した広告システムをユーザ端末より利用する場合の利用画面の構成の一例を示す図
【図１０】図１に示した広告システムをユーザ端末より利用する場合の利用画面の構成の一例を示す図
【図１１】図１に示した広告システムをユーザ端末より利用する場合の利用画面の構成の一例を示す図
【図１２】図１に示した広告システムをユーザ端末より利用する場合の利用画面の構成の一例を示す図
【図１３】図１に示した広告システムを店頭端末より利用する場合の利用画面の構成の一例を示す図
【図１４】図１に示した広告システムを店頭端末より利用する場合の利用画面の構成の一例を示す図
【図１５】図１に示した広告システムを店頭端末より利用する場合の利用画面の構成の一例を示す図
【符号の説明】
１  広告システム
２  コンテンツサービス
３  ＷＷＷ情報サービス
４  電子紙面情報サーバ
５  広告情報サーバ
６  ユーザ情報サーバ
７  広告管理サーバ
８  製本機能付き印刷出力機（印刷・製本手段
９  広告主端末
１０  ユーザ端末
１１  店頭端末
【図１】
2005017942.tif 000003
【図２】
2005017942.tif 000004
【図３】
2005017942.tif 000005
【図４】
2005017942.tif 000006
【図５】
2005017942.tif 000007
【図６】
2005017942.tif 000008
【図７】
2005017942.tif 000009
【図８】
2005017942.tif 000010
【図９】
2005017942.tif 000011
【図１０】
2005017942.tif 000012
【図１１】
2005017942.tif 000013
【図１２】
2005017942.tif 000014
【図１３】
2005017942.tif 000015
【図１４】
2005017942.tif 000016
【図１５】
2005017942.tif 000017